(57)【要約】【課題】エアー抜きの作業により、薬液内の気泡を効果的に除去することができる容器兼用注射器を提供することを目的とする。【解決手段】ニードルハブ２０の嵌着孔２４の前方側に、フロントストッパー１０の先端側部分が移入して液密に嵌り込むバイパスチャンバー２５を設け、バイパスチャンバー２５の内壁面に複数のバイパス溝２６を設けるとともにこれらを連結する環状溝２７を設け、フロントストッパー１０の外周面に後端面に開口して先端側に延びる複数の気泡導入溝１３を形成し、フロントストッパー１０の先端側部分がバイパスチャンバー２５に移入した際に、気泡導入溝１３が環状溝２７に接続されるように構成する。【選択図】図１
2010125162.tif 000002
【特許請求の範囲】
【請求項１】
軸線を中心とする略円筒状をなすガラスカートリッジと、基端側の嵌着孔を介して前記ガラスカートリッジの先端外周に外嵌されるとともに、注射針に薬液を導入する導入孔が形成された針管接着部を有するニードルハブと、前記ガラスカートリッジ内の先端側に液密に嵌入されるフロントストッパーと、前記ガラスカートリッジ内の後端側に液密に嵌入されるエンドストッパーと、前記ガラスカートリッジの後端側から該ガラスカートリッジ内に挿入されて前記エンドストッパーに連結されるプランジャーロッドとを備えた容器兼用注射器において、
前記ニードルハブにおける前記嵌着孔の前方側に、前記フロントストッパーの先端側部分が移入して液密に嵌り込むバイパスチャンバーが設けられ、
該バイパスチャンバーの内壁面に、前記軸線と平行に延びて前記導入孔に至る複数のバイパス溝が設けられるとともに、前記バイパスチャンバーと前記嵌着孔との境界に前記複数のバイパス溝の後端を連結する環状溝が設けられ、
前記フロントストッパーの外周面に、該フロントストッパーの後端面に開口して先端側に延びる複数の気泡導入溝が形成され、
該気泡導入溝の前記後端面における開口部は、前記フロントストッパーの外周面から前記軸線に向かって延びており、
前記フロントストッパーの前記先端側部分が前記バイパスチャンバーに移入した際に、前記気泡導入溝が前記環状溝に接続されることを特徴とする容器兼用注射器。
【発明の詳細な説明】
【技術分野】
【０００１】
本発明は、薬液を予め充填・保管しておき、使用時に包装から取り出して直ちに使用することが可能な容器兼用注射器に関する。
【背景技術】
【０００２】
容器兼用注射器は、予め薬液が充填されているため、医療機関において煩雑な操作をすることなく包装から取り出して直ちに使用できる。よって、利便性に優れていることから、医師や看護師等の医療業務に携わる者の作業軽減に大いに貢献し、このため多くの病医院で採用されている。
【０００３】
従来、例えば図９に示すように、容器兼用注射器４１として、ガラスカートリッジ４２と、該ガラスカートリッジ４２内の前後端側に嵌入され、ガラスカートリッジ４２内に充填された薬液ｍを液密に封止するフロントストッパー４５ａ及びエンドストッパー４５ｂと、ガラスカートリッジ４２の先端に外嵌され、フロントストッパー４５ａが入り込むバイパスチャンバー４８及びその先端の注射針を取り付けるためのルアー先４９が設けられたハブルアーロック４３と、ガラスカートリッジ４２の後端に嵌着されたフィンガーグリップ４４と、ガラスカートリッジ４２の後端部からガラスカートリッジ４２内に挿入されてエンドストッパー４５ｂに連結されたプランジャーロッド４６とを備えたものが知られている（例えば、特許文献１参照）。
【０００４】
このような容器兼用注射器４１の使用時には、プランジャーロッド４６によってエンドストッパー４５ｂを押し込むことで、薬液と共にフロントストッパー４５ａを前方へ押し進める。そして、フロントストッパー４５ａがガラスカートリッジ４２から押し出されてハブルアーロック４３のバイパスチャンバー４８内に入り込むと、前記フロントストッパー４５ａ、エンドストッパー４５ｂ間に密封されていた薬液ｍにおける先端側の密封が解除される。これにより、当該薬液ｍがガラスカートリッジ４２内からバイパスチャンバー４８内に流出し、フロントストッパー４５ａとバイパスチャンバー４８との隙間を流れ、該バイパスチャンバー４８の内壁面に設けられたバイパス溝４８ａに沿ってルアー先４９の内面に誘導されて注射針へと導入される。
【特許文献１】特開２００７−１１１１５６号公報
【発明の開示】
【発明が解決しようとする課題】
【０００５】
ところで、一般的に、薬液を注射器によって直接患者の体内の必要な部位に注入する医療行為である注射においては、薬液中に混入した気泡が患者の体内に注入されるのを防止するため、注射の前段階としてプランジャーロッドを僅かに押し込むことによるエアー抜きの作業が行われる。この作業によって、上記容器兼用注射器においては、ガラスカートリッジ内の気泡がバイパス溝を通過して注射針の先端から注射器外部に放出される。
【０００６】
しかしながら、この種の容器兼用注射器（特許文献１参照）はフロントストッパーをガラスカートリッジ内で前進させて、バイパスチャンバー内に入れる操作をするだけで、ガラスカートリッジの中に気密、液密に充填された薬液のシール（密封）が解除されて、薬液が注射針の方向に流出するという優れた機能を持っているが、フロントストッパーの側面やバイパスチャンバー内の溝の中などに薬液と一緒に入り込んだ微小な気泡は、表面張力のために薬液を追い越して先に注射針側に出すことが難しかった。
【０００７】
この発明はこのような課題に鑑みてなされたものであって、エアー抜きの作業によりフロントストッパーの後端面に集中させたシリンジ内の気泡を、薬液の表面張力の影響を受けることなく薬液の前面に押し出して、注射針の先端から外部に放出し除去することができる容器兼用注射器を提供することを目的とする。
【課題を解決するための手段】
【０００８】
前記課題を解決するため、この発明は以下の手段を提案している。
即ち、本発明に係る容器兼用注射器は、軸線を中心とする略円筒状をなすガラスカートリッジと、基端側の嵌着孔を介して前記ガラスカートリッジの先端外周に外嵌されるとともに、注射針に薬液を導入する導入孔が形成されたニードルハブと、前記ガラスカートリッジ内の先端側に液密に嵌入されるフロントストッパーと、前記ガラスカートリッジ内の後端側に液密に嵌入されるエンドストッパーと、前記ガラスカートリッジの後端側から該ガラスカートリッジ内に挿入されて前記エンドストッパーに連結されるプランジャーロッドとを備えた容器兼用注射器において、前記ニードルハブにおける前記嵌着孔の前方側に、前記フロントストッパーの先端側部分が移入して液密に嵌り込むバイパスチャンバーが設けられ、該バイパスチャンバーの内壁面に、前記軸線と平行に延びて前記導入孔に至る複数のバイパス溝が設けられるとともに、前記バイパスチャンバーと前記嵌着孔との境界に前記複数のバイパス溝の後端を連結する環状溝が設けられ、前記フロントストッパーの外周面に、該フロントストッパーの後端面に開口して先端側に延びる複数の気泡導入溝が形成され、該気泡導入溝の前記後端面における開口部は、前記フロントストッパーの外周面から前記軸線に向かって延びており、前記フロントストッパーの前記先端側部分が前記バイパスチャンバーに移入した際に、前記気泡導入溝が前記環状溝に接続されることを特徴とする。
【０００９】
このような特徴の容器兼用注射器によれば、フロントストッパーに形成された気泡導入溝が外周面から軸線に向かって延びていることから、エアー抜きの過程によって、該フロントストッパーの後端面に滞留する気泡を気泡導入溝内へと容易に導入することができる。そして、プランジャーロッドを押し込んでフロントストッパーの先端側部分がバイパスチャンバーに移入すると、気泡導入溝が環状溝に接続され、該気泡導入溝に導入されていた気泡は環状溝、バイパス溝、導入孔を介して針管接着部の先端から容器兼用注射器外部に放出される。
【発明の効果】
【００１０】
本発明の容器兼用注射器によれば、フロントストッパーにその後端面に滞留する気泡が導入される気泡導入溝を形成するとともに、フロントストッパーの先端側部分がバイパスチャンバーに移入した際に気泡導入溝が環状溝、バイパス溝、導入孔と連通状態となることによって、エアー抜きの作業により薬液内の気泡を効果的に除去することが可能となる。
【発明を実施するための最良の形態】
【００１１】
以下、本発明の実施の形態に係る容器兼用注射器について、図面を参照して詳細に説明する。
図１は実施形態に係る容器兼用注射器の未使用時における側断面図、図２は図１のガラスカートリッジ先端付近の拡大図、図３はフロントストッパーの側面図、図４はフロントストッパーの背面図、図５はエアー抜きの作業時の容器兼用入射器の側断面図、図６は図５のガラスカートリッジ先端付近の拡大図、図７は注射終了時の容器兼用注射器の側断面図、図８は図７のガラスカートリッジ先端付近における拡大図である。
【００１２】
図１に示すように、容器兼用注射器３０は、ガラスカートリッジ１と、その先端側（図１における左側、以下同じ）に取り付けられたニードルハブ２０と、ガラスカートリッジ１の後端側（図１における右側、以下同じ）の外周に嵌着された合成樹脂製のフィンガーグリップ４と、ガラスカートリッジ１内に充填された薬液ｍを先端側から封止するフロントストッパー１０及び後端側から封止するエンドストッパー５と、ガラスカートリッジ１内に後端側から挿入されて先端部がエンドストッパー５に連結され、該エンドストッパー５をガラスカートリッジ１の軸線Ｏ方向に往復動させるプランジャーロッド６とを備えている。
【００１３】
ガラスカートリッジ１は、透明なガラスからなる軸線Ｏに沿って延びる円筒形状をなしており、その内部には薬液ｍが充填され、その先端側がフロントストッパー１０によって封止されるとともに、後端側がエンドストッパー５によって封止されている。
【００１４】
また、上記ガラスカートリッジ１の後端外周には、リング状突起１ａが設けられており、該リング状突起１ａがフィンガーグリップ４の円筒孔部４ａに形成されたリング状溝４ｂに嵌合することによって、フィンガーグリップ４がガラスカートリッジ１に強固に取り付けられている。
なお、フィンガーグリップ４は、ガラスカートリッジ１に別途取り付けられる構成の他、ガラスカートリッジ１と一体に形成されたものであってもよい。
【００１５】
エンドストッパー５は、ガラスカートリッジ１の内径より僅かに大きな外径の軸線Ｏを中心とした略円柱形状をなし、薬液ｍに対して耐食性を備える医療用ゴム（例えば、本実施形態ではブチルゴム）から形成されている。容器兼用注射器３０の未使用時においては、このエンドストッパー５は、ガラスカートリッジ１の後端側に位置するように該ガラスカートリッジ１内に嵌入されている。
【００１６】
ニードルハブ２０は、適度な剛性を備えた透明な合成樹脂からなる外形多段円柱状をなしており、円筒形状をなす基端部２１と、該基端部２１の先端側に一段縮径するように結合された円筒部２２と、該円筒部２２のさらに先端側に円筒部２２よりも小径に形成された針管接着部２３とを備えている。
【００１７】
上記基端部２１の内側には、ニードルハブ２０の後端側に開口する嵌着孔２４が形成されており、該嵌着孔２４の前方側、即ち、円筒部２２の内側には、有底穴状のバイパスチャンバー２５が形成されている。
また、上記針管接着部２３の内部には、軸線Ｏに沿って貫通された導入孔２３ａが形成されており、該導入孔２３ａには、軸線Ｏに沿って先端側に延びる注射針８が連通状態にして取り付けられている。
なお、容器兼用注射器３０の未使用時においては、注射針８を覆うプロテクター７がニードルハブ２０の先端に取り付けられている。
【００１８】
上記嵌着孔２４は、ガラスカートリッジ１にニードルハブ２０を取り付けるために形成された孔であって、その内径はガラスカートリッジ１の外径と略同一に形成されている。これにより、該嵌着孔２４をガラスカートリッジ１先端に外嵌させることによってニードルハブ２０がガラスカートリッジ１の先端側に取り付けられるようになっている。また、嵌着孔２４の内周壁の前端部には軸線Ｏを中心としたリング状溝２４ａが形成されている。また、ガラスカートリッジ１先端外周にはリング状突起１ｂが形成されており、ニードルハブ２０をガラスカートリッジ１先端側に取り付けた際に、リング状突起１ｂがリング状溝２４ａに嵌り込むことによって、ニードルハブ２０がガラスカートリッジ１に強固に固定一体化される。
【００１９】
上記バイパスチャンバー２５は、その内径が嵌着孔２４よりも一段小径とされた有底穴であって、その内周壁には、軸線Ｏと平行に延びる複数のバイパス溝２６が周方向に等間隔に形成されている。これらバイパス溝２６はそれぞれバイパスチャンバー２５の底部２５ａ中央まで延びており、これにより、バイパス溝２６は針管接着部２３の内部に形成された導入孔２３ａと接続状態とされている。また、このバイパス溝２６の後端は、バイパスチャンバー２５と嵌着孔２４との境界に軸線Ｏを中心として形成された環状溝２７によって連結されている。
【００２０】
そして、フロントストッパー１０は、エンドストッパー５と同様に、ガラスカートリッジ１よりも僅かに大きな外径の軸線Ｏを中心とした略円柱形状をなし、薬液ｍに対して耐食性を備える医療用ゴム（例えば、本実施形態ではブチルゴム）から形成されている。容器兼用注射器３０の未使用時においては、このフロントストッパー１０はガラスカートリッジ１の先端側に位置するように該ガラスカートリッジ１の内側に嵌入されている。
【００２１】
また、フロントストッパー１０の外周面１１には、詳しくは図３及び図４に示すように、その後端面１２に開口するとともに該フロントストッパー１０の先端側に向かって延びる気泡導入溝１３が周方向に等間隔に複数（本実施形態においては８つ）形成されている。これら気泡導入溝１３は、図３に示すように、フロントストッパー１０の後端面１２から先端側に向かって直線ｋ１を越えた位置、即ち、後端側部分１０Ｂから先端側部分１０Ａに僅かに入り込んだ位置（図３における直線ｋ２の位置）まで延びている。
【００２２】
また、図４に示すように、気泡導入溝１３の後端面１２における開口部１３ａは、それぞれがフロントストッパー１０の外周面１１から中央部の軸線Ｏに向かって延びるように形成されている。
【００２３】
以上のような構成の容器兼用注射器３０を用いて患者に注射を行う際には、まず、薬液ｍ内に残留した気泡を排出するエアー抜きの作業を行うため、図１に示す未使用時からプランジャーロッド６を僅かに押し込む。これにより、プランジャーロッド６に連結されたエンドストッパー５がガラスカートリッジ１内を前方側に移動すると、このエンドストッパー５による押圧力が薬液ｍを介してフロントストッパー１０に伝達され、該フロントストッパー１０が前方側に移動する。
【００２４】
そして、フロントストッパー１０の先端側部分１０Ａがバイパスチャンバー２５に移入して、図３に示す直線ｋ１の部分までが入り込むと、図５及び図６に示すように、フロントストッパー１０の気泡導入溝１３とバイパスチャンバー２５の環状溝２７とが僅かに連通された状態となり、薬液ｍにおけるガラスカートリッジ１先端側の密封が解除される。
すると、気泡導入溝１３に導入されていた気泡は環状溝２７、バイパス溝２６、導入孔２３ａを介して注射針８の先端から容器兼用注射器３０外部に放出される。このようなエアー抜きの作業により薬液ｍ内の気泡を効果的に除去することが可能となる。
【００２５】
そして、エアー抜きの作業を終えた後に、患者の患部に注射針８を刺してプランジャーロッド６をさらに押し込んでいくと、ガラスカートリッジ１内の薬液ｍが、気泡導入溝１３、環状溝２７、バイパス溝２６、導入孔２３ａ、注射針８を通過して患者の体内に投与されることになる。そして、プランジャーロッド６を完全に押し込んだ際には、図７及び図８に示すように、エンドストッパー５がフロントストッパー１０に当接して、ガラスカートリッジ１内の薬液ｍが残留することなく容器兼用注射器３０から患者の体内に注入される。
【００２６】
以上、本発明の実施の形態である容器兼用注射器３０について詳細に説明したが、本発明の技術的思想を逸脱しない限り、これらに限定されることはなく、多少の設計変更等も可能である。
【図面の簡単な説明】
【００２７】
【図１】実施形態に係る容器兼用注射器の未使用時における側断面図である。
【図２】図１のガラスカートリッジ先端付近の拡大図である。
【図３】フロントストッパーの側面図である。
【図４】フロントストッパーの背面図である。
【図５】エアー抜きの作業時の容器兼用入射器の側断面図である。
【図６】図５のガラスカートリッジ先端付近の拡大図である。
【図７】注射終了時の容器兼用注射器の側断面図である。
【図８】図７のガラスカートリッジ先端付近における拡大図である。
【図９】従来の容器兼用注射器の側断面図である。
【符号の説明】
【００２８】
１    ガラスカートリッジ
１ａ  リング状突起
１ｂ  リング状突起
４    フィンガーグリップ
４ａ  円筒孔部
４ｂ  リング状溝
５    エンドストッパー
６    プランジャーロッド
７    プロテクター
８    注射針
１０  フロントストッパー
１０Ａ       先端側部分
１０Ｂ       後端側部分
１１  外周面
１２  後端面
１３  気泡導入溝
１３ａ       開口部
１４  突起部
２０  ニードルハブ
２１  基端部
２２  円筒部
２３  針管接着部
２３ａ       導入孔
２４  嵌着孔
２４ａ       リング状溝
２５  バイパスチャンバー
２５ａ       底部
２６  バイパス溝
２７  環状溝
３０  容器兼用注射器
【図１】
2010125162.tif 000003
【図２】
2010125162.tif 000004
【図３】
2010125162.tif 000005
【図４】
2010125162.tif 000006
【図５】
2010125162.tif 000007
【図６】
2010125162.tif 000008
【図７】
2010125162.tif 000009
【図８】
2010125162.tif 000010
【図９】
2010125162.tif 000011
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
軸線を中心とする略円筒状をなすガラスカートリッジと、基端側の嵌着孔を介して前記ガラスカートリッジの先端外周に外嵌されるとともに、注射針に薬液を導入する導入孔が形成された針管接着部を有するニードルハブと、前記ガラスカートリッジ内の先端側に液密に嵌入されるフロントストッパーと、前記ガラスカートリッジ内の後端側に液密に嵌入されるエンドストッパーと、前記ガラスカートリッジの後端側から該ガラスカートリッジ内に挿入されて前記エンドストッパーに連結されるプランジャーロッドとを備えた容器兼用注射器において、
前記ニードルハブにおける前記嵌着孔の前方側に、前記フロントストッパーの先端側部分が移入して液密に嵌り込むバイパスチャンバーが設けられ、
該バイパスチャンバーの内壁面に、前記軸線と平行に延びて前記導入孔に至る複数のバイパス溝が設けられるとともに、前記バイパスチャンバーと前記嵌着孔との境界に前記複数のバイパス溝の後端を連結する環状溝が設けられ、
前記フロントストッパーの外周面に、該フロントストッパーの後端面に開口して先端側に延びる複数の気泡導入溝が形成され、
該気泡導入溝の前記後端面における開口部は、前記フロントストッパーの外周面から前記軸線に向かって延びており、
前記プランジャロッドを押し込んで前記フロントストッパーが前記前方側に移動することで、該フロントストッパーの前記先端側部分が前記ガラスカートリッジに嵌入された状態から前記バイパスチャンバーに移入した際に、前記気泡導入溝が前記環状溝に接続され、
前記フロントストッパーの前記前方側への移動の前後において、前記フロントストッパーの後端側部分が、前記ガラスカートリッジに嵌入した状態にあることを特徴とする容器兼用注射器。
【手続補正２】
【補正対象書類名】明細書
【補正対象項目名】０００８
【補正方法】変更
【補正の内容】
【０００８】
前記課題を解決するため、この発明は以下の手段を提案している。
即ち、本発明に係る容器兼用注射器は、軸線を中心とする略円筒状をなすガラスカートリッジと、基端側の嵌着孔を介して前記ガラスカートリッジの先端外周に外嵌されるとともに、注射針に薬液を導入する導入孔が形成された針管接着部を有するニードルハブと、前記ガラスカートリッジ内の先端側に液密に嵌入されるフロントストッパーと、前記ガラスカートリッジ内の後端側に液密に嵌入されるエンドストッパーと、前記ガラスカートリッジの後端側から該ガラスカートリッジ内に挿入されて前記エンドストッパーに連結されるプランジャーロッドとを備えた容器兼用注射器において、前記ニードルハブにおける前記嵌着孔の前方側に、前記フロントストッパーの先端側部分が移入して液密に嵌り込むバイパスチャンバーが設けられ、該バイパスチャンバーの内壁面に、前記軸線と平行に延びて前記導入孔に至る複数のバイパス溝が設けられるとともに、前記バイパスチャンバーと前記嵌着孔との境界に前記複数のバイパス溝の後端を連結する環状溝が設けられ、前記フロントストッパーの外周面に、該フロントストッパーの後端面に開口して先端側に延びる複数の気泡導入溝が形成され、該気泡導入溝の前記後端面における開口部は、前記フロントストッパーの外周面から前記軸線に向かって延びており、前記プランジャロッドを押し込んで前記フロントストッパーが前記前方側に移動することで、該フロントストッパーの前記先端側部分が前記ガラスカートリッジに嵌入された状態から前記バイパスチャンバーに移入した際に、前記気泡導入溝が前記環状溝に接続され、前記フロントストッパーの前記前方側への移動の前後において、前記フロントストッパーの後端側部分が、前記ガラスカートリッジに嵌入した状態にあることを特徴とする。
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
軸線を中心とする略円筒状をなすガラスカートリッジと、基端側の嵌着孔を介して前記ガラスカートリッジの先端外周に外嵌されるとともに、注射針に薬液を導入する導入孔が形成された針管接着部を有するニードルハブと、前記ガラスカートリッジ内の先端側に液密に嵌入されるフロントストッパーと、前記ガラスカートリッジ内の後端側に液密に嵌入されるエンドストッパーと、前記ガラスカートリッジの後端側から該ガラスカートリッジ内に挿入されて前記エンドストッパーに連結されるプランジャーロッドとを備えた容器兼用注射器において、
前記ニードルハブにおける前記嵌着孔の前方側に、前記フロントストッパーの先端側部分が移入して液密に嵌り込むバイパスチャンバーが設けられ、
該バイパスチャンバーの内壁面に、前記軸線と平行に延びて前記導入孔に至る複数のバイパス溝が設けられるとともに、前記バイパスチャンバーと前記嵌着孔との境界に前記複数のバイパス溝の後端を連結する環状溝が設けられ、
前記フロントストッパーの外周面に、該フロントストッパーの後端面に開口して先端側に延びる複数の気泡導入溝が形成され、
該気泡導入溝の前記後端面における開口部は、前記フロントストッパーの外周面から前記軸線に向かって延びており、
前記プランジャロッドを押し込んで前記フロントストッパーが前記前方側に移動することで、該フロントストッパーの前記先端側部分が前記ガラスカートリッジに嵌入された状態から前記バイパスチャンバーに移入した際に、前記気泡導入溝が前記環状溝に接続され、
前記プランジャーロッドを完全に押し込んだ際に、前記エンドストッパーが前記フロントストッパーに当接するとともに、前記フロントストッパーの後端側部分が前記ガラスカートリッジに嵌入した状態にあることを特徴とする容器兼用注射器。
【手続補正２】
【補正対象書類名】明細書
【補正対象項目名】０００８
【補正方法】変更
【補正の内容】
【０００８】
前記課題を解決するため、この発明は以下の手段を提案している。
即ち、本発明に係る容器兼用注射器は、軸線を中心とする略円筒状をなすガラスカートリッジと、基端側の嵌着孔を介して前記ガラスカートリッジの先端外周に外嵌されるとともに、注射針に薬液を導入する導入孔が形成された針管接着部を有するニードルハブと、前記ガラスカートリッジ内の先端側に液密に嵌入されるフロントストッパーと、前記ガラスカートリッジ内の後端側に液密に嵌入されるエンドストッパーと、前記ガラスカートリッジの後端側から該ガラスカートリッジ内に挿入されて前記エンドストッパーに連結されるプランジャーロッドとを備えた容器兼用注射器において、前記ニードルハブにおける前記嵌着孔の前方側に、前記フロントストッパーの先端側部分が移入して液密に嵌り込むバイパスチャンバーが設けられ、該バイパスチャンバーの内壁面に、前記軸線と平行に延びて前記導入孔に至る複数のバイパス溝が設けられるとともに、前記バイパスチャンバーと前記嵌着孔との境界に前記複数のバイパス溝の後端を連結する環状溝が設けられ、前記フロントストッパーの外周面に、該フロントストッパーの後端面に開口して先端側に延びる複数の気泡導入溝が形成され、該気泡導入溝の前記後端面における開口部は、前記フロントストッパーの外周面から前記軸線に向かって延びており、  前記プランジャロッドを押し込んで前記フロントストッパーが前記前方側に移動することで、該フロントストッパーの前記先端側部分が前記ガラスカートリッジに嵌入された状態から前記バイパスチャンバーに移入した際に、前記気泡導入溝が前記環状溝に接続され、前記プランジャーロッドを完全に押し込んだ際に、前記エンドストッパーが前記フロントストッパーに当接するとともに、前記フロントストッパーの後端側部分が前記ガラスカートリッジに嵌入した状態にあることを特徴とする。